(57)【要約】【課題】本発明はカーテンの縫製加工が殆ど不要であり、且つ襞を簡単に作ることが可能となると共に丈寸法の大幅な変更が容易に対応出来るカーテンフックを提供することを目的とする。【解決手段】棒状の軸杆１の上端部にカーテンランナー５へ引掛けるための吊下用フック２を設け、軸杆１の上部と下部にカーテンを挟持させると共に該カーテンに襞を作るためのカーテン用クリップ３を少なくとも設ける構造とする。また軸杆１の上端に吊下用フック２を固着し、その軸杆１の上部と下部にカーテン用クリップ３を設けて合成樹脂で全体が一体成形されたものとすれば良く、且つ吊下用フック２が軸杆１に対して上下移動可能に設けられた構造としても良い。【選択図】　　　　図１
2004089321.tif 000002
【特許請求の範囲】
【請求項１】
棒状の軸杆（１）の上端部には、カーテンランナー（５）に引掛けるための吊下用フック（２）を設け、前記軸杆（１）の上部と下部には、カーテン（４）を挟持させると共に該カーテン（４）に襞（４１）を作るためのカーテン用クリップ（３）を少なくとも設けたことを特徴とするカーテンフック。
【請求項２】
前記軸杆（１）の上端に前記吊下用フック（２）を固着し、前記軸杆（１）の上部と下部に前記カーテン用クリップ（３）を設けて合成樹脂で全体が一体成形された請求項１記載のカーテンフック。
【請求項３】
前記吊下用フック（２）が、前記軸杆（１）に対して上下移動可能に設けられた請求項１記載のカーテンフック。
【請求項４】
棒状の軸杆（１）の上端部には、カーテンランナー（５）に引掛けるための吊下用フック（２）を設け、前記軸杆（１）の軸方向に沿って長尺で且つ１つのカーテン用クリップ（３）を設けたことを特徴とするカーテンフック。
【発明の詳細な説明】
【０００１】
【発明の属する技術分野】
本発明は窓などにカーテンを吊下させて取付けると共にカーテンに襞を作るために使用されるカーテンフックに関する。
【０００２】
【従来の技術】
一般にカーテンを製作する場合には、カーテン生地を窓の大きさや襞の割合に応じて裁断する。裁断した生地をミシンなどで縫製し、カーテン生地の上部を折返して袋状に縫製させると共にカーテンを取付けた時にそのカーテンが波打ち、立体感が溢れる雰囲気を醸し出すように、一定の間隔で襞が縫製されていた。このカーテンを窓に取付ける際には、図５（ｂ）に示すようなカーテンフックが使用されて、その構造としては吊下用フック（２）と、該吊下用フック（２）の反対側で且つ反対向きに取付けたカーテン取付用フックとから成るものであった。これを用いる時には、襞（４１）の裏面にカーテン取付用フックを差し込むと共に吊下用フック（２）をガイドレールに取付けられたカーテンランナー（５）の下端部にある吊り輪（５１）に引掛けることにより、カーテン（４）が取付けられていた。又、特殊なカーテンフックとしては、図５（ｃ）に示すような吊下用フック（２）と、該吊下用フック（２）の下方に取付けたカーテン用クリップ（３）とから成るものも使用されている。
【０００３】
【発明が解決しようとする課題】
しかしながら図５（ｂ）に示す従来のカーテンフックを用いて取付けるカーテン（４）は、縫製する際にカーテン生地の上部を折返して袋状に加工しなければならず、且つ一定の間隔で襞（４１）を形成しなければならないので手間が掛ると共にカーテン生地が窓幅の１．５倍から２．５倍必要となり、コストが掛っていた。更にカーテン生地を縫製する際には正確な取付寸法の測定が必要であると共に正確な縫製加工が必要なため、専門業者に製作を依頼するか、或いは窓に合った市販のカーテン（４）を見つけて購入するのが一般的であった。又、このカーテン（４）を他の窓に取付けようとする時、丈寸法が異なると使用出来なくなる場合も多くあった。一方、図５（ｃ）に示すカーテンフックを用いて取付けるカーテン（４）は、殆ど縫製することなく、カーテン生地の上部を折返し或いは裁断したままの生地をカーテン用クリップ（３）で挟持するだけで良く、カーテン生地の裁断や縫製が殆ど不要となるため誰にでも簡単にカーテン（４）が製作出来るが、襞（４１）を形成することは出来なかった。従って、カーテン（４）は平面的で立体感がないものとなっていた。更に図５（ｂ），（ｃ）の従来品は、図中に示すようにガイドレールの下部とカーテン（４）との間には隙間（Ｌ）が必ず出来てしまい、且つ吊下用フック（２）が見えてしまうため、見た目が悪くなると共に目隠しや遮光等の効果が悪くなる等の問題点があった。尚、市販されているカーテンフックの中にはアジャストの効くフックも見受けられるが、カーテン（４）の丈寸法の伸縮が５ｃｍ前後しか調整出来ないため、引越や模様替え等の際、今まで使用していたものが使用できなくなる場合が多かった。
【０００４】
本発明はカーテンの縫製加工が殆ど不要であり、且つ襞を簡単に作ることが可能となると共に丈寸法の大幅な変更が容易に対応出来るカーテンフックを提供することを目的とする。
【０００５】
【課題を解決するための手段】
本発明は上記問題点を解消するために成されたものであり、つまり、棒状の軸杆の上端部にカーテンランナーへ引掛けるための吊下用フックを設け、軸杆の上部と下部にカーテンを挟持させると共に該カーテンに襞を作るためのカーテン用クリップを少なくとも設ける構造とする。また軸杆の上端に吊下用フックを固着し、その軸杆の上部と下部にカーテン用クリップを設けて合成樹脂で全体が一体成形されたものとすれば良く、且つ吊下用フックが軸杆に対して上下移動可能に設けられた構造としても良い。
【０００６】
【発明の実施の形態】
図１、図２は本発明の実施形態を示す図であり、これに基づき説明する。（１）は平棒状或いは角棒状の軸杆であり、（２）は軸杆（１）の上端部に固着した吊下用フックであり、該吊下用フック（２）はカーテンランナー（５）の吊り輪（５１）に引掛けるためのものである。（３）は軸杆（１）の上部と下部に設けたカーテン用クリップであり、該カーテン用クリップ（３）はカーテン（４）を挟持させると共に該カーテン（４）に襞（４１）を作るためのものである。また前記カーテン用クリップ（３）としては、クリップ本体（３１）の口部が開口操作部材（３２）によって開閉する図１に示したダブルクリップなどを用いると良く、他としては図２に示すレバー状の開口操作部材（３２）によってクリップ本体（３１）の口部が開閉するものを用いても良い。尚、前記軸杆（１），吊下用フック（２），カーテン用クリップ（３）が合成樹脂で一体成形されたものを用いても良い。
【０００７】
図３は本発明の別実施形態を示す図であり、これに基づき説明する。（１）は角棒状の軸杆であり、該軸杆（１）の一側面にはラチェット（１１）が設けられており、その一側面の両側の側面には軸方向にガイド溝（１２）が設けられている。（２）は軸杆（１）に対して上下移動する吊下用フックであり、該吊下用フック（２）にはカーテンランナー（５）の吊り輪（５１）に引掛けるフック部以外に、ガイド溝（１２）に挿入して摺動するスライド部材（２１）と、前記ラチェット（１１）に係止するための係止爪（２２）とが設けられ、全体は一体成形されている。（３）は軸杆（１）の上部と下部に設けたカーテン用クリップであり、前記実施形態で使用したものと同一のものを用いれば良い。
【０００８】
図４は本発明の他の実施形態を示す図であり、これは前記実施例と比べると、カーテン用クリップ（３）が軸杆（１）の軸方向に沿って設けられた長尺で１つのものであり、前記カーテン用クリップ（３）はカーテン（４）を水平方向から挟持させ且つそれに襞（４１）を作るためのものである。また前記軸杆（１）の上端部には、カーテンランナー（５）の吊り輪（５１）に引掛けるための吊下用フック（２）が固着されている。尚、前記軸杆（１），吊下用フック（２），カーテン用クリップ（３）は合成樹脂で一体成形されたものと成しても良い。
【０００９】
次に本発明の使用方法について説明する。先ずカーテン生地を窓の大きさに合わせて裁断する。この時、カーテン生地の長さは窓幅の約１．５倍の長さで裁断すると共に窓よりも丈寸法が大きいことを確認し、且つカーテン生地の上部を折返して窓の大きさに合わせる。尚、カーテン生地の丈寸法が短い場合は上部を折返さずにそのまま使用すると良い。次に所定個数の本発明品を、予めカーテンレールに取付けられたカーテンランナー（５）の吊り輪（５１）に引掛けて吊下する。そして上部のカーテン用クリップ（３）の開口操作部材（３２）を握り締めるか或いは移動させることによって口部が開かれ、それをカーテン（４）上部に挟み込むと共に下部のカーテン用クリップ（３）もカーテン（４）上部に挟み込んでセットすることにより、カーテン（４）を吊下させて取付けると共に襞（４１）が自然に作られるのである［図５（ａ）参照］。このようにして各吊り輪（５１）に吊下した本発明品の上部と下部のカーテン用クリップ（３）をカーテン（４）上部に挟み込んで、順次本発明品を適宜間隔でカーテン（４）上部に挟み込んでセットして行くことにより、カーテン（４）が図６に示すように吊下されて取付けられるのである。この時、カーテン（４）の襞（４１）は上部と下部のカーテン用クリップ（３）によって、引張られて挟持されることにより、各カーテン用クリップ（３）よりも上方のカーテン（４）がよれることなく直立するため、襞（４１）がきれいに形成される。又、図４に示すような長尺なカーテン用クリップ（３）を用いた本発明品の場合には、カーテン用クリップ（３）の開閉操作回数が上記の半分で済むものとなる。尚、本発明品をカーテン（４）側に予め取付けた後、カーテンランナー（５）に吊下させるようにしても良い。
【００１０】
次に本発明品を使用してカーテン（４）の丈寸法を変更させる場合について説明する。先ず始めカーテン生地の丈寸法が窓の大きさと略同じである時には、カーテン生地を窓に合わせた状態でその裏側から上部と下部のカーテン用クリップ（３）を挟み込んでセットして行けば、カーテン生地がカーテン（４）として仕上げられるのである（図６参照）。次にカーテン生地の丈寸法が窓の大きさよりも幾分大きい時には、カーテン生地を窓の大きさに合うように上部を折返して調整する。その後、その裏側から上部と下部のカーテン用クリップ（３）を挟み込んでセットして行けば、カーテン生地がカーテン（４）として仕上げられる。この時、カーテン生地を窓の大きさよりも若干小さく上部を折返し、上部と下部のカーテン用クリップ（３）の挟む位置を調整することにより、カーテン生地が良好な丈寸法のカーテン（４）として仕上がる［図５（ａ）参照］。またカーテン用クリップ（３）の挟む位置を前記よりも下方にすれば、隙間（Ｌ）をなくすことが可能となる。更にカーテン生地の丈寸法が窓の大きさに比べて著しく長い時には、カーテン生地を窓に合わせるように上部を折返して調整する。その状態で裏側から上部と下部のカーテン用クリップ（３）を挟み込んでセットして行けば、カーテン生地がカーテン（４）として仕上がるのである。このようにカーテン生地の上部の折返し長さを調整したり、上部と下部のカーテン用クリップ（３）の挟む位置を調整することにより、カーテン生地が簡単に且つ良好な丈寸法のカーテン（４）として仕上がるのである。特に窓の大きさが変わっても本発明品を新たなカーテンランナー（５）の吊り輪（５１）へ引掛けて取付け直すと共にカーテン（４）上部の折返し寸法やカーテン用クリップ（３）の挟む位置を調整すれば、縫製加工しなくてもカーテン（４）が新たな窓に対してピッタリの寸法として手軽に変更出来るものとなり、正面付け及び天井付けの両方の取付け方が可能となる。この時、従来のカーテンレールはそのまま使用出来ると共に、カーテン用クリップ（３）で挟持出来る生地であれば、カーテン用の生地でなくてもカーテン（４）として簡単に吊下させて取付けることが出来るものとなる。
【００１１】
また本発明品を取付けてカーテン（４）に襞（４１）を作る場合について説明する。先ずカーテンレールに取付けられたカーテンランナー（５）の吊り輪（５１）に所定個数の本発明品を引掛けて吊下させる。そして上部と下部のカーテン用クリップ（３）によってカーテン（４）上部を挟み込み、カーテン（４）を吊下させて取付けると、襞（４１）が自然に作られるのである。また襞（４１）を作る際には、本発明品を奇数個取付け、カーテン生地の両端を本発明品で挟持して取付ける。次にカーテン生地の上部を引張り、その中央のカーテン生地に、真中へ配置した本発明品を挟持させて取付ける。更にその半分のカーテン生地の上部を引張り、その中央に真中の本発明品を取付け、この方法を繰返して本発明品がなくなるまでカーテン生地へ順に挟持させて取付ければ、一定間隔な襞（４１）が自然に形成されたカーテン（４）として仕上げられるのである。従って、カーテン（４）の襞（４１）は、本発明品の数量を調整したり、カーテン用クリップ（３）に挟む際、好みに応じて摘めば、好みの襞（４１）の大きさや間隔に調整出来るものとなるのである。
【００１２】
【発明の効果】
本発明は以下の構成により、次のような効果を有する。
【００１３】
請求項１のように棒状の軸杆（１）の上端部に吊下用フック（２）を設け、軸杆（１）の上部と下部にカーテン用クリップ（３）を少なくとも設けることにより、カーテン生地が直接にカーテン用クリップ（３）で挟持されるため、従来の如きカーテン（４）の縫製加工が殆ど不要であり、且つ襞（４１）を簡単に作ることが可能となると共にカーテン（４）の丈寸法の大幅な変更が容易に対応出来るものとなる。又、本発明品を使用すれば、カーテン（４）の掛け替えや新規のカーテン（４）の製作が容易で素早く且つ安価で見た目も良く出来るものとなると共に引越や模様替え等の際、今まで使用したカーテン（４）を簡単に窓の大きさに合わせることが可能となるため、カーテン生地が有効利用出来るものとなる。
【００１４】
請求項２のように軸杆（１）の上端に吊下用フック（２）を固着し、軸杆（１）の上部と下部にカーテン用クリップ（３）を設けて合成樹脂で全体が一体成形されることにより、大量生産が可能となるため、安価に提供出来るものとなる。
【００１５】
請求項３に示すように吊下用フック（２）を上下移動可能に設けることにより、カーテン（４）の丈寸法の長さ調整がより大幅に対応出来るものとなる。またガイドレールの下部とカーテン（４）との隙間（Ｌ）が出来ないように取付けることが、極めて簡単に行えるものとなる。
【００１６】
請求項４に示すように軸杆（１）の上端部に吊下用フック（２）を設け、軸杆（１）の軸方向に沿って長尺で且つ１つのカーテン用クリップ（３）を設けることにより、構造が簡単になるため、コストダウンが可能となる。また長尺なカーテン用クリップ（３）を操作する際に、一度でカーテン（４）を挟持することが可能となるため、カーテン（４）の取付けがより簡単なものとなる。
【図面の簡単な説明】
【図１】本発明の実施形態を示す斜視図である。
【図２】本実施形態のカーテン用クリップが他の構造のものを示す斜視図である。
【図３】本発明の別実施形態を示す斜視図である。
【図４】本発明の他の実施形態を示す斜視図である。
【図５】カーテンが本発明品及び従来品の各種のカーテンフックによって吊下されて取付けられる状態を示す説明図である。
【図６】本発明品によってカーテンが吊下される使用状態を示す説明図である。
【符号の説明】
１　軸杆
２　吊下用フック
３　カーテン用クリップ
４　カーテン
４１　襞
５　カーテンランナー
【図１】
2004089321.tif 000003
【図２】
2004089321.tif 000004
【図３】
2004089321.tif 000005
【図４】
2004089321.tif 000006
【図５】
2004089321.tif 000007
【図６】
2004089321.tif 000008